(57)【要約】      （修正有）【課題】施療機関にて医師やマッサージ師から受けた、ユーザ個々のマッサージサービスを該ユーザの自宅でも提供できるマッサージシステム及びマッサージサービス提供方法を提供する。【解決手段】施療機関にてユーザが受けているマッサージの圧力およびその身体部位の位置を検出手段３０３で検出する。施療機関に置かれたデータ送信サーバ３０１は、検出された圧力データとユーザの身体部位を示す座標データとを関連付けて時系列に記録しユーザのマッサージデータを作成する。マッサージデータは公衆網１０１を介してユーザの自宅に設置されたホームサーバ２０２へ送信される。ホームサーバは、ユーザ宅に設置されたマッサージ装置２０４へマッサージデータを送信し、マッサージ装置は該マッサージデータに基づいてユーザの身体を加圧する。【選択図】図１
2009232967.tif 000002
【特許請求の範囲】
【請求項１】
施療機関にてユーザが受けているマッサージの圧力を検出する、前記施療機関に設置された圧力検出装置と、
前記施療機関にて前記マッサージを受けているユーザの身体部位の位置を検出する、前記施療機関に設置された空間認識装置と、
前記圧力検出装置で検出された圧力の値からなる圧力データと、前記空間認識装置で検出された、圧力を受けた前記ユーザの身体部位の位置を示す座標データとを関連付けて時系列に記録し、前記ユーザ毎のマッサージデータを作成するデータ送信サーバと、
前記データ送信サーバで作成された前記マッサージデータを、公衆網を介して受信する、前記ユーザの自宅に設置されたホームサーバと、
前記ホームサーバから前記マッサージデータを受信し、該マッサージデータに基づいて前記ユーザの身体を加圧する、前記ユーザの自宅に設置されたマッサージ装置と、
を有するマッサージシステム。
【請求項２】
前記マッサージデータに、前記施療機関にて入力された前記ユーザの処方を含む請求項１記載のマッサージシステム。
【請求項３】
前記ユーザを認証するための認証情報を取得し、前記データ送信サーバに転送する、前記施療機関に設置された第１の認証機器と、
予め前記ユーザの認証に必要なユーザ情報を備え、前記認証情報を受信すると、前記ユーザ情報及び受信した認証情報を用いて前記ユーザを認証する、前記公衆網に設置された接続サーバと、
をさらに有し、
前記データ送信サーバは、
前記第１の認証機器で取得した前記ユーザの認証情報を前記接続サーバに送信し、前記接続サーバで前記ユーザの認証が完了したとき、該ユーザのマッサージデータを前記接続サーバに送信し、
前記接続サーバは、
該ユーザの自宅に設置されたホームサーバへ前記データ送信サーバから受信したマッサージデータを送信する請求項１または２記載のマッサージシステム。
【請求項４】
前記ユーザを認証するための認証情報を取得し、前記ホームサーバに転送する、前記ユーザの自宅に設置された第２の認証機器をさらに有し、
前記ホームサーバは、
予め前記ユーザの認証に必要なユーザ情報を備え、前記認証情報を受信すると、前記ユーザ情報及び受信した認証情報を用いて前記ユーザを認証し、
前記ユーザの認証が完了したとき、前記マッサージデータを前記マッサージ装置に送信する請求項１から３のいずれか１項記載のマッサージシステム。
【請求項５】
施療機関にてユーザが受けているマッサージの圧力および前記マッサージを受けている該ユーザの身体部位の位置を検出手段が検出し、
前記施療機関に設置されたデータ送信サーバが、前記検出手段で検出された圧力の値からなる圧力データと圧力を受けた前記ユーザの身体部位の位置を示す座標データとを関連付けて時系列に記録し、前記ユーザ毎のマッサージデータを作成し、
作成した前記マッサージデータを、公衆網を介して前記ユーザの自宅に設置されたホームサーバへ送信し、
前記ホームサーバが、前記ユーザの自宅に設置されたマッサージ装置へ前記マッサージデータを送信し、前記マッサージ装置が該マッサージデータに基づいて前記ユーザの身体を加圧するマッサージサービス提供方法。
【請求項６】
前記マッサージデータに、前記施療機関にて入力された前記ユーザの処方を含む請求項５記載のマッサージサービス提供方法。
【請求項７】
前記施療機関に設置された第１の認証機器が、前記ユーザを認証するための認証情報を取得して前記データ送信サーバへ転送し、
前記データ送信サーバが、前記第１の認証機器で取得した前記ユーザの認証情報を前記公衆網に設置された接続サーバへ送信し、
前記接続サーバが、予め備えた前記ユーザの認証に必要なユーザ情報と前記データ送信サーバから受信した認証情報を用いて前記ユーザを認証し、
前記データ送信サーバが、前記接続サーバで前記ユーザの認証が完了したとき、該ユーザのマッサージデータを前記接続サーバへ送信し、
前記接続サーバが、該ユーザの自宅に設置された前記ホームサーバへ前記データ送信サーバから受信したマッサージデータを送信する請求項５または６記載のマッサージサービス提供方法。
【請求項８】
前記ユーザの自宅に設置された第２の認証機器が、前記ユーザを認証するための認証情報を取得して前記ホームサーバへ転送し、
前記ホームサーバが、予め備えた前記ユーザの認証に必要なユーザ情報と前記第２の認証機器から受信した認証情報を用いて前記ユーザを認証し、
前記ユーザの認証が完了したとき、前記マッサージデータを前記マッサージ装置に送信する請求項５から７のいずれか１項記載のマッサージサービス提供方法。
【発明の詳細な説明】
【技術分野】
【０００１】
本発明は被施療者の身体をマッサージするためのマッサージシステム及びマッサージサービス提供方法に関する。
【背景技術】
【０００２】
従来より、椅子の背もたれ等にマッサージ機構を組み込んで、椅子に座った被施療者の背中や腰などにマッサージを施すマッサージ装置が普及している。マッサージ装置の構成や動作については、例えば特許文献１に記載されている。
【０００３】
また、被施療者の加速度脈波を測定して該被施療者の生理状態（例えば疲労が激しい等）を判断し、複数の制御プログラムが格納されたデータベースから被施療者の生理状態に応じた制御プログラムをマッサージ装置にインターネットを介してダウンロードし、該制御プログラムにしたがって被施療者にマッサージを施すことで、マッサージ装置による施療効果を向上させた構成が、例えば特許文献２に記載されている。
【０００４】
また、マッサージ装置用の制御プログラムだけでなく、介護用ベッドや冷暖房装置等の各種の電子機器を制御するためのプログラムを、インターネットを介してサービスサーバから提供するシステムが特許文献３に記載されている。
【特許文献１】特開平９−２９９４２６号公報
【特許文献２】特開２００５−２８０１６号公報
【特許文献３】特開２００２−１６９８３号公報
【発明の開示】
【発明が解決しようとする課題】
【０００５】
上述した背景技術のマッサージ装置では、その制御プログラムが専門の技術者によって作成され、マッサージ装置の専門知識を持たない医師やマッサージ師が制御プログラムを簡易に作成できないという問題がある。
【０００６】
また、背景技術のマッサージ装置では、被施療者の身体的特徴（座高、背中や腰の大きさ等）や生理状態をある程度の精度で測定できるため、被施療者は比較的快適にマッサージを受けることができる。しかしながら、より良好なマッサージサービスを受けるためには、何度も病院やマッサージ店へ通う必要があった。
【０００７】
本発明は上記したような従来の技術が有する問題点を解決するためになされたものであり、施療機関にて医師やマッサージ師から受けた、ユーザ個々のマッサージサービスを該ユーザの自宅でも提供できるマッサージシステム及びマッサージサービス提供方法を提供することを目的とする。
【課題を解決するための手段】
【０００８】
上記目的を達成するため本発明のマッサージシステムは、施療機関にてユーザが受けているマッサージの圧力を検出する、前記施療機関に設置された圧力検出装置と、
前記施療機関にて前記マッサージを受けているユーザの身体部位の位置を検出する、前記施療機関に設置された空間認識装置と、
前記圧力検出装置で検出された圧力の値からなる圧力データと、前記空間認識装置で検出された、圧力を受けた前記ユーザの身体部位の位置を示す座標データとを関連付けて時系列に記録し、前記ユーザ毎のマッサージデータを作成するデータ送信サーバと、
前記データ送信サーバで作成された前記マッサージデータを、公衆網を介して受信する、前記ユーザの自宅に設置されたホームサーバと、
前記ホームサーバから前記マッサージデータを受信し、該マッサージデータに基づいて前記ユーザの身体を加圧する、前記ユーザの自宅に設置されたマッサージ装置と、
を有する。
【０００９】
一方、本発明のマッサージサービス提供方法は、施療機関にてユーザが受けているマッサージの圧力および前記マッサージを受けている該ユーザの身体部位の位置を検出手段が検出し、
前記施療機関に設置されたデータ送信サーバが、前記検出手段で検出された圧力の値からなる圧力データと圧力を受けた前記ユーザの身体部位の位置を示す座標データとを関連付けて時系列に記録し、前記ユーザ毎のマッサージデータを作成し、
作成した前記マッサージデータを、公衆網を介して前記ユーザの自宅に設置されたホームサーバへ送信し、
前記ホームサーバが、前記ユーザの自宅に設置されたマッサージ装置へ前記マッサージデータを送信し、前記マッサージ装置が該マッサージデータに基づいて前記ユーザの身体を加圧する方法である。
【発明の効果】
【００１０】
本発明によれば、施療機関にて医師やマッサージ師から受けた、ユーザ個々のマッサージサービスを該ユーザの自宅でも提供できる。
【発明を実施するための最良の形態】
【００１１】
次に本発明について図面を用いて説明する。
【００１２】
本発明のマッサージシステムは、マッサージを治療及びサービスとして提供する施療機関（病院やマッサージ店等）において、被施療者（以下、ユーザと称す）に施したマッサージの内容を電子データ化し、公衆網を経由して被施療者の自宅に該電子データを転送し、自宅に設置されたマッサージ装置にて施療機関で受けたマッサージサービスを再現する構成である。
【００１３】
図１は本発明のマッサージシステムの一構成例を示すブロック図である。
【００１４】
図１に示すように、本発明のマッサージシステムは、施療機関に設置されたデータ送信サーバ３０１、圧力検出装置３０３、空間認識装置３０４及び認証機器（第１の認証機器）３０２と、ユーザの自宅に設置されたマッサージ装置２０４、ホームサーバ２０２及び認証機器（第２の認証機器）２０３と、公衆網１０１に設置された接続サーバ２０２とを備えている。
【００１５】
公衆網１０１に設置された接続サーバ１０２とユーザの自宅に設置されたホームサーバ２０２とは周知のセキュアパス（家）１０３によって接続され、接続サーバ１０２と施療機関に設置されたデータ送信サーバ３０１とは周知のセキュアパス（店・病院）１０４によって接続されている。セキュアパス（家）１０３及びセキュアパス（店・病院）１０４は、例えば、認証処理を必要とする、暗号化された仮想専用線技術を用いた回線である。
【００１６】
データ送信サーバ３０１には、施療機関にてユーザが受けているマッサージの圧力を検出する圧力検出装置３０３、施療機関にてマッサージを受けているユーザの身体部位の位置を検出する空間認識装置３０４、及びユーザを認証するための認証情報を取得し、データ送信サーバ３０１に転送する認証機器（第１の認証機器）３０２がローカルネットワーク３０５を介してそれぞれ接続されている。圧力検出装置３０３及び空間認識装置３０４は、施療機関にてユーザが受けているマッサージの圧力およびマッサージを受けている該ユーザの身体部位の位置を検出する検出手段として用いられる。
【００１７】
ユーザの自宅に設置されたホームサーバ２０２には、ユーザにマッサージを施すマッサージ装置２０４及びユーザを認証するための認証情報を取得し、ホームサーバ２０１に転送する認証機器（第２の認証機器）２０３がホームネットワーク２０１を介してそれぞれ接続されている。
【００１８】
圧力検出装置３０３は、医師やマッサージ師が手に装着できる構成であり、マッサージ時にユーザの身体に加わる圧力を検出する。圧力検出装置３０３は、検出した圧力の値からなる圧力データをデータ送信サーバ３０１に送信する。圧力検出装置３０３の構成等については、例えば特開２００５−９１１０６号公報等に記載されている。
【００１９】
空間認識装置３０４は、空間上の位置を３次元座標として特定できる装置であり、マッサージを受けているユーザの身体部位の位置を検出し、その部位の位置を示す座標データをデータ送信サーバ３０１に送信する。空間認識装置３０４の構成や処理については、例えば特開２０００−０３００６４号公報等に記載されている。
【００２０】
データ送信サーバ３０１は、圧力検出装置３０３から受信した圧力データと空間認識装置３０４から送信された圧力を受けた身体部位に対応する座標データとを関連付け、それらのデータを時系列に記録することでユーザに施したマッサージの内容を示すマッサージデータを作成する。データ送信サーバ３０１は、作成したマッサージデータを保存し、医師・マッサージ師によって処方（ユーザ情報、使用回数、１日の使用回数制限等）が入力された後に送信可能となる。
【００２１】
データ送信サーバ３０１は、施療機関を訪問しているユーザからマッサージデータの送信開始が要求されると、マッサージデータの送信を要求したユーザの認証を認証機器３０２に要求する。認証機器３０２は、例えばユーザが携帯する非接触型のＩＣチップから認証情報を取得し、該認証情報を接続サーバ１０２へ送信する。接続サーバ１０２は、予めユーザの認証に必要なユーザ情報（氏名、年齢、性別、住所等）を備え、認証機器３０２から認証情報を受信すると、ユーザ情報と受信した認証情報とを用いてユーザを認証し、その結果を認証機器３０２へ返信する。
【００２２】
認証機器３０２は、ユーザの認証完了を確認すると、データ送信サーバ３０１へ認証結果を通知する。データ送信サーバ３０１は認証されたユーザのマッサージデータを接続サーバ１０２へ送信する。認証機器３０２の構成や処理については、例えば文献１（「リモートアクセス“ＣＲＹＰ＜クリプ＞”」、［平成２０年三月２５日検索］、インターネット＜ＵＲＬ：http://www.bit-drive.ne.jp/cryp/＞）等に記載されている。なお、ユーザの自宅に設置される認証機器２０３も施療機関に設置される認証機器３０２と同様の構成である。
【００２３】
接続サーバ１０２は、データ送信サーバ３０１から送信されたマッサージデータを、認証されたユーザの自宅に設置されたホームサーバ２０２へ送信する。
【００２４】
マッサージ装置２０４は、ユーザからマッサージの開始が要求されると、自装置を利用するユーザの認証を認証機器２０３に要求する。認証機器２０３は、例えば、ユーザが携帯する非接触型のＩＣチップから認証情報を取得し、該認証情報をホームサーバ２０２へ送信する。ホームサーバ２０２は、予めユーザの認証に必要なユーザ情報を備え、認証機器２０３から認証情報を受信すると、ユーザ情報と受信した認証情報とを用いてユーザを認証し、その結果を認証機器２０３へ返信する。認証機器２０３は、ユーザの認証完了を確認すると、マッサージ装置２０４へ認証結果を通知する。
【００２５】
マッサージ装置２０４は、ユーザの認証が完了すると、ホームサーバ２０２に保存されたマッサージデータを読み込み、該マッサージデータに基づいてユーザの身体を加圧する。マッサージ装置２０４の構成や動作については、例えば上記特許文献１、特開２００２−２７０４９０号公報、特開２００２−２９１８２４号公報等に記載されている。
【００２６】
データ送信サーバ３０１は、例えば、図２に示すように、プログラムにしたがって所定の処理を実行する処理装置１０と、処理装置１０に対してコマンドや情報等を入力するための入力装置２０と、処理装置１０の処理結果をモニタするための出力装置３０とを有する構成である。
【００２７】
処理装置１０は、ＣＰＵ１１と、ＣＰＵ１１の処理に必要な情報を一時的に記憶する主記憶装置１２と、ＣＰＵ１１にデータ送信サーバ３０１としての処理を実行させるためのプログラムが記録された記録媒体１３と、ユーザ毎のマッサージデータを記録するデータ蓄積装置１４と、主記憶装置１２、記録媒体１３及びデータ蓄積装置１４とのデータ転送を制御するメモリ制御インタフェース部１５と、入力装置２及び出力装置３とのインタフェース装置であるＩ／Ｏインタフェース部１６と、セキュアパス（店・病院）１０４及びローカルネットワーク３０５を介してデータを送受信するためのインタフェースである通信制御装置１７とを有する構成である。ＣＰＵ１１と、メモリ制御インタフェース部１５、Ｉ／Ｏインタフェース部１６及び通信制御装置１７とはバス１８を介して接続されている。
【００２８】
処理装置１０は、記録媒体１３に記録されたプログラムにしたがって上述したデータ送信サーバ３０１としての機能を実現する。記録媒体１３は、磁気ディスク、半導体メモリ、光ディスクあるいはその他の記録媒体であってもよい。
【００２９】
なお、ユーザの自宅に設置されたホームサーバ２０２及び公衆網１０１に設置された接続サーバ１０２についても処理やデータ蓄積装置１４に記録されるデータが異なることを除けば、上記と同様の構成で実現できる。
【００３０】
次に、施療機関におけるマッサージデータの作成手順について図３を用いて説明する。
【００３１】
図３は施療機関におけるマッサージデータの作成手順の一例を示すシーケンス図である。
【００３２】
図３に示すように、医師・マッサージ師は、データ送信サーバ３０１に対してマッサージの記録開始要求を入力する（４０１）。
【００３３】
データ送信サーバ３０１は、マッサージの記録開始要求が入力されると、マッサージの記録開始を医師・マッサージ師に通知する（４０２）。医師・マッサージ師は、圧力検出装置３０３を通してユーザにマッサージを開始する（４０３）。
【００３４】
圧力検出装置３０３は、マッサージ時にユーザへ加える圧力を検出し、その値を圧力データとしてデータ送信サーバ３０１へ送信する。また、空間認識装置３０４は、マッサージ時に圧力を加えるユーザの身体位置の座標を検出し（４０４）、検出した座標の情報をデータ送信サーバ３０１に送信する。送信サーバ３０１は、圧力検出装置３０３から受信した圧力データとそれに対応する空間認識装置３０４から送信された座標データとを関連付け、それらの情報を時系列に記録する（４０５）。上記４０３〜４０５の処理は、医師・マッサージ師がデータ送信サーバ３０１に対して記録終了要求を入力するまで繰り返される（４０６）。
【００３５】
データ送信サーバ３０１は、記録終了要求が入力されると、処方を入力するよう表示する（４０７）。
【００３６】
医師・マッサージ師は、患者名、総使用回数、１日の使用制限などの処方をデータ送信サーバ３０１に入力する（４０８）。
【００３７】
データ送信サーバ３０１は、処方が入力されると、時系列に記録したマッサージの内容と医師・マッサージ師によって入力された処方とを組み合わせてマッサージデータを作成し、その作成完了を医師・マッサージ師に通知する（４０９）。
【００３８】
次に、作成されたマッサージデータをユーザの自宅に設置されたホームサーバ２０２へ送信する手順について図４を用いて説明する。
【００３９】
図４はマッサージデータの送信手順の一例を示すシーケンス図である。
【００４０】
図４に示すように、医師・マッサージ師は、マッサージデータが作成されると、データ送信サーバ３０１に対して該マッサージデータの送信開始要求を入力する（５０１）。
【００４１】
データ送信サーバ３０１は、送信開始要求が入力されると、ユーザ認証を要求する（５０２）。また、データ送信サーバ３０１は、認証機器３０２に対して認証開始要求を送信する（５０３）。
【００４２】
施療機関を訪問しているユーザは、非接触型ＩＣチップを内蔵した装置（カードや携帯電話）を利用して、例えば暗号データからなる認証情報を認証機器３０２に入力する（５０４）。
【００４３】
認証機器３０２は、非接触型ＩＣチップから受け取った認証情報をデータ送信サーバ３０１に転送し、ユーザの認証を要求する（５０５）。
【００４４】
データ送信サーバ３０１は、受け取った認証情報及びマッサージデータの処方に記録されたユーザ情報（ユーザ名等）を、公衆網１０１に設置された接続サーバ１０２に送信し、ユーザの認証を要求する（５０６）。
【００４５】
接続サーバ１０２は、データ送信サーバ３０１から受け取った２種類の情報からデータベースを検索し、ユーザの認証処理を行うと共に、送信先となるホームサーバ２０２の情報を記録し、認証が完了すると、その結果をデータ送信サーバ３０１に通知する（５０７）。
【００４６】
データ送信サーバ３０１は、接続サーバ１０２から認証完了を受け取ると、該認証完了を認証機器３０２に通知（５０８）すると共に、接続サーバ１０２にマッサージデータの送信を開始する（５０９）。
【００４７】
接続サーバ１０２は、マッサージデータの受信完了後、データ送信サーバ３０１に受信完了を通知し（５１０）、ユーザの自宅に設置されたホームサーバ２０２へマッサージデータの送信を開始する（５１１）。
【００４８】
ホームサーバ２０２は、マッサージデータの受信完了後、接続サーバ１０２に対してマッサージデータの受信完了を通知する（５１２）。接続サーバ１０２は、ホームサーバ２０２からの受信完了通知を受けとると、データ送信サーバ３０１へデータ送信完了を通知する（５１３）。
【００４９】
データ送信サーバ３０１は、接続サーバ１０２からデータ送信完了が通知されると、医師・マッサージ師に送信完了を通知する（５１４）。
【００５０】
次に、ホームサーバ２０２に記録されたマッサージデータを用いて医師・マッサージ師のマッサージを再現する手順について図５を用いて説明する。
【００５１】
図５はマッサージ装置によるマッサージの再現手順の一例を示すシーケンス図である。
【００５２】
図５に示すように、ユーザは、自宅に設置されたマッサージ装置２０４に対し、施療機関にて作成され、自宅のホームサーバ２０２に送信されたマッサージデータの再生を要求する（６０１）。
【００５３】
マッサージ装置２０４は、マッサージデータの再生要求を受け付けると、ホームサーバ２０２に対してマッサージデータの受渡を要求する（６０２）。
【００５４】
マッサージ装置２０４からマッサージデータの受渡要求を受信したホームサーバ２０２は、認証機器２０３に対してユーザの認証要求を通知する（６０３）。認証機器２０３は、ユーザに対して認証要求を通知する（６０４）。
【００５５】
ユーザは、施療機関にてユーザ認証に用いた非接触型ＩＣチップが搭載された装置を用いて、認証機器２０３に対して認証動作を行う（６０５）。認証機器２０３は、非接触型ＩＣチップから読み取った、例えば暗号データからなる認証情報をホームサーバ２０２へ転送し、ユーザの認証を要求する（６０６）。
【００５６】
認証機器２０３から認証情報を受信したホームサーバ２０２は、該認証情報と予め登録されたユーザ情報とを用いてユーザを認証し、認証が完了すると、認証完了を認証機器２０３へ通知し（６０７）、マッサージ装置２０４に要求されたマッサージデータを送信する（６０９）。
【００５７】
認証完了の通知を受け取った認証機器２０３は、ユーザに認証完了を通知する（６０８）。
【００５８】
マッサージデータを受け取ったマッサージ装置２０４は、マッサージデータに記録された座標データが示す位置で対応する圧力を加えることで、施療機関において医師・マッサージ師がユーザに行ったマッサージを再現する（６１０）。
【００５９】
マッサージ装置２０４は、マッサージを再現すると共にマッサージデータに含まれるマッサージの実施回数を更新し、ホームサーバ２０２に更新後のマッサージデータを返送する（６１１）。
【００６０】
更新後のマッサージデータを受け取ったホームサーバ２０２は、マッサージデータの更新完了をマッサージ装置２０４に通知する（６１２）。
【００６１】
本発明によれば、施療機関にて医師・マッサージ師がユーザに施したマッサージの内容に基づいてマッサージデータが作成され、該ユーザの自宅に設置されたマッサージ装置２０４を施療機関から転送される該マッサージデータを用いて動作させるため、ユーザは、施療機関にて医師やマッサージ師から受けた、自分用のマッサージサービスを自宅でも受けることができる。また、そのマッサージサービスは、ユーザを認証したときのみ提供され、かつマッサージデータには医師・マッサージ師が入力した処方が含まれているため、該ユーザ用のマッサージサービスを他人に施したり、マッサージを過剰に施す等のマッサージ装置２０４の誤用が防止される。したがって、本発明のマッサージシステムは、医療の一手段として用いることができる。
【００６２】
さらに、施療機関に設置されたデータ送信サーバ３０１、公衆網１０１内の接続サーバ１０２及びユーザの自宅に設置されたホームサーバ２０２は、互いにセキュアパスで接続され、かつデータ送信サーバ３０１はマッサージデータや認証情報を接続サーバ１０２へ送信するため、施療機関ではマッサージデータを送信するユーザ宅のホームサーバ２０２を判別することができない。したがって、認証情報やマッサージデータに含まれる個人情報が他者に漏洩する危険が低減するため、高いセキュリティ能力を備えたマッサージシステムが得られる。
【図面の簡単な説明】
【００６３】
【図１】本発明のマッサージシステムの一構成例を示すブロック図である。
【図２】図１に示したデータ送信サーバの実現例を示すブロック図である。
【図３】施療機関におけるマッサージデータの作成手順の一例を示すシーケンス図である。
【図４】マッサージデータの送信手順の一例を示すシーケンス図である。
【図５】マッサージ装置によるマッサージの再現手順の一例を示すシーケンス図である。
【符号の説明】
【００６４】
１０    処理装置
１１    ＣＰＵ
１２    主記憶装置
１３    記録媒体
１４    データ蓄積装置
１５    メモリ制御インタフェース部
１６    Ｉ／Ｏインタフェース部
１７    通信制御装置
１８    バス
２０    入力装置
３０    出力装置
１０１    公衆網
１０２    接続サーバ
１０３    セキュアパス（家）
１０４    セキュアパス（店・病院）
２０１    ホームネットワーク
２０２    ホームサーバ
２０３、３０２    認証機器
２０４    マッサージ装置
３０１    データ送信サーバ
３０３    圧力検出装置
３０４    空間認識装置
３０５    ローカルネットワーク
【図１】
2009232967.tif 000003
【図２】
2009232967.tif 000004
【図３】
2009232967.tif 000005
【図４】
2009232967.tif 000006
【図５】
2009232967.tif 000007